(57)【要約】  空気調和機の室内機（１）は、筐体（１０）と、クロスフローファン（２１）と、モータ（３１）と、モータケース（３２）と、モータ受け部（４０）とを備えている。モータ（３１）は、クロスフローファン（２１）を駆動する。モータケース（３２）は、モータ（３１）を収容し、筐体（１０）に対して取り外し可能に取り付けられている。モータ受け部（４０）は、クロスフローファン（２１）とモータケース（３２）との間に位置し、モータケース（３２）が取り付けられる。モータケース（３２）は、モータ受け部（４０）との間でシール部を形成する。そして、モータケース（３２）側のシール部は、テーパ形状を有しており、モータ受け部（４０）側のシール部は、前記テーパ形状に対応する逆テーパ形状を有している。
2019082406.tif 000002
【特許請求の範囲】
【請求項１】
筐体と、
前記筐体内において左右方向に延びる送風機と、
前記送風機を駆動するモータと、
前記モータを収容し、前記筐体に対して取り外し可能に取り付けられているモータケースと、
前記送風機と前記モータケースとの間に位置し、前記モータケースが取り付けられるモータ受け部と
を備えている空気調和機であって、
前記モータケースは、前記モータ受け部との間でシール部を形成しており、
前記モータケース側の前記シール部は、前記送風機側へ向かって先細となるテーパ形状を有しており、
前記モータ受け部側の前記シール部は、前記テーパ形状に対応する逆テーパ形状を有している、
空気調和機。
【請求項２】
前記送風機の左右方向の端部に隣接して配置される側板と、
前記送風機の下方に配置されるドレンパンと
をさらに備え、
前記モータ受け部側の前記シール部は、
前記側板と、
前記筐体および前記ドレンパンの少なくとも何れか一方と
で構成されている、請求項１に記載の空気調和機。
【請求項３】
前記モータ受け部において、
前記側板と、
前記筐体および前記ドレンパンの少なくとも何れか一方と
の境界には、
前記側板と、前記筐体または前記ドレンパンとで形成される重なり部が設けられている、
請求項２に記載の空気調和機。
【請求項４】
前記モータケース側の前記シール部および前記側板側の前記シール部のうちの何れか一方に突起が設けられており、他方に前記突起が嵌まり込む切り欠きが設けられている、請求項２または３に記載の空気調和機。
【請求項５】
前記側板と前記ドレンパンとで形成される前記重なり部は、前記シール部から前方へ向かって、所定値以上の長さを有する、
請求項３に記載の空気調和機。
【請求項６】
前記モータケース側の前記シール部および前記側板側の前記シール部のうちの何れか一方に突起が設けられており、他方に前記突起が嵌まり込む切り欠きが設けられており、
前記側板に設けられた前記突起または前記切り欠きは、前記重なり部の近傍に位置している、
請求項３に記載の空気調和機。
【発明の詳細な説明】
【技術分野】
【０００１】
本開示は、空気調和機に関し、より具体的には空気調和機に備えられた送風機のモータ周辺の構造に関する。
【背景技術】
【０００２】
空気調和機の室内機には、室内へ空調された風を送り出すための送風機が備えられている。室内機の送風機としては、例えば、クロスフローファンが用いられる。【０００３】
送風機は、一般に、室内機の左右方向に延びる略円筒状の形状を有している。そして、送風機の左右方向の一端部には、送風機を駆動するためのモータが配置されている。【０００４】
例えば、特許文献１には、空気調和機の室内機が開示されている。室内機は、熱交換器１およびファン２を内装しているキャビネット３を有する。熱交換器１およびファン２は、キャビネット３内の左右方向に沿って配されている。ファン２を駆動するモータ２２は、ファン２の軸方向の一端側（具体的には、キャビネット３を正面から見て右側）に設けられている。モータ２２は、モータケース２４に収納されている。【０００５】
モータケース２４は、キャビネット３を構成する背面板１０に着脱可能に装着されている。具体的には、モータケース２４は、キャビネット３に対して軸方向に移動可能となっている。また、キャビネット３には、モータケース２４を支えながら軸方向の移動を案内するガイド部が設けられている。モータケース２４がファン２から離れた出入スペースＳまで移動したとき、モータケース２４は、ガイド部から離間可能あるいはガイド部に係合可能となる。なお、出入スペースＳの一部には、電装ボックス２０が収納されている。
【先行技術文献】
【特許文献】
【０００６】
【特許文献１】特許第５９４０８１３号公報
【発明の概要】
【発明が解決しようとする課題】
【０００７】
特許文献１に開示された空気調和機は、上記のような構成を有することで、電装ボックス２０を取り外した後、モータケース２４を軸方向にスライドさせて出入スペースＳへ移動させ、キャビネット３から取り外すことができる。このように、特許文献１に開示された空気調和機では、熱交換器１の本体部分を取り外すことなく、モータケース２４の着脱を行うことができる。このような構成のモータケースでは、室内機からの取り外し作業をより容易に行うことができるように、さらなる改良の余地がある。
【課題を解決するための手段】
【０００８】
本発明の一局面にかかる空気調和機は、筐体と、前記筐体内において左右方向に延びる送風機と、前記送風機を駆動するモータと、前記モータを収容し、前記筐体に対して取り外し可能に取り付けられているモータケースと、前記送風機と前記モータケースとの間に位置し、前記モータケースが取り付けられるモータ受け部とを備えている。この空気調和機において、前記モータケースは、前記モータ受け部との間でシール部を形成している。そして、前記モータケース側の前記シール部は、前記送風機側へ向かって先細となるテーパ形状を有しており、前記モータ受け部側の前記シール部は、前記テーパ形状に対応する逆テーパ形状を有している。
【発明の効果】
【０００９】
本発明の一局面にかかる空気調和機によれば、送風機を駆動するためのモータが着脱可能な空気調和機において、モータの取付け動作の作業性の向上を図ることができる。
【図面の簡単な説明】
【００１０】
【図１】本発明の一実施形態にかかる空気調和機の室内機の外観を示す斜視図である。
【図２】第１の実施形態にかかる室内機の内部構成を示す斜視図である。この図では、室内機を下面側から見た状態を示す。なお、この図では、ドレンパンから各風向板を取り外した状態を示す。
【図３】第１の実施形態にかかる室内機の内部構成を示す斜視図である。この図では、図２に示す室内機からドレンパンを取り外した状態を示す。
【図４】第１の実施形態にかかる室内機の内部構成を示す斜視図である。この図では、図３に示す室内機からクロスフローファンおよびモータ部を取り外す様子を示す。
【図５】図２に示す室内機からモータ部を取り外した状態を示す斜視図である。
【図６】図２に示す室内機の構成部品を示す分解斜視図である。
【図７】図２に示す室内機に備えられたモータ受け部を構成する各部材を示す分解斜視図である。
【図８】図２に示す室内機からモータ部を取り外した状態を示す側面図である。
【図９】第１の実施形態にかかる室内機に備えられたモータ部を示す斜視図である。
【図１０】図８に示す室内機のＡ−Ａ線部分の構成を示す断面図である。
【図１１】図８に示す室内機のＢ−Ｂ線部分の構成を示す断面図である。
【図１２】図８に示す室内機のＣ−Ｃ線部分の構成を示す断面図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
〔第１の実施形態〕
＜空気調和機の全体構成＞
先ず、本実施の形態にかかる空気調和機の全体構成について説明する。本実施の形態にかかる空気調和機は、セパレート式の空気調和機であって、主として、室内機１と室外機（図示せず）とから構成されている。図１は、本実施の形態に係る空気調和機の室内機１の外観構成を示す。図２および図３には、室内機１の内部構成を示す。図２では、筐体１０を構成する前面パネル１１、本体パネル１２、およびフラップ１５を、室内機１から取り外した状態を示す。図３では、図２に示す状態からドレンパン２３を取り外した状態を示す。また、図２では、ドレンパン２３から各風向板（上下風向板２４および左右風向板２５）が取り外された状態を示す。
【００１３】
室外機には、圧縮機、室外側熱交換器、四方弁、膨張弁などが備えられている。これらと室内機１側に備えられた室内側熱交換器２２とによって冷凍サイクルが構成される。
【００１４】
次に、室内機１の概略的な構成について、図１および図２を用いて説明する。図１に示すように、室内機１は、略直方体状の形状を有しており、通常、部屋の壁の上部に掛けられて使用される。図２に示すように、室内機１内には室内側熱交換器２２が備えられている。室内側熱交換器２２は、２本の補助パイプ（冷媒配管）を介して室外機側の圧縮機などと接続されている。なお、２本の補助パイプは、断熱材２６により覆われている。これにより、この室内機１と室外機とは、冷凍サイクルを構成し、その結果、空気調和機として機能する。
【００１５】
図１に示すように、室内機１は、筐体１０で外形が形成される。筐体１０は、略直方体状の樹脂成形品である。図１に示すように、筐体１０は、主として、前面パネル１１、本体パネル１２、背面パネル１３、およびフラップ１５で構成されている。
【００１６】
なお、説明の便宜上、前面パネル１１が配置されている側を室内機１の前面側とし、背面パネル１３が配置されている側を室内機１の背面側とする。そして、室内機１の前面側から背面側、または背面側から前面側へ向かう方向のことを、前後方向という。また、室内機１の通常の設置状態において、上方から下方または下方から上方へ向かう方向のことを、上下方向または鉛直方向という。
【００１７】
また、室内機１の右側とは、室内機１を正面（前面側）から見たときの右側を意味し、室内機１の左側とは、室内機１を正面（前面側）から見たときの左側を意味する。そして、室内機１の上下方向と交差または直交し、室内機１の右側から左側、あるいは、室内機１の左側から右側へ向かう方向のことを、左右方向または水平方向という。
【００１８】
前面パネル１１は、筐体１０の前面（正面）に位置する。前面パネル１１は、本体パネル１２に対して開閉可能に取り付けられている。通常、前面パネル１１を開けると、フィルタ（図示せず）が前面部に現れる。フィルタ（図示せず）は、本体パネル１２の上面に設けられた吸込み口１４の下方に設けられている。フィルタは、吸込み口１４から室内機１の内部に取り込まれる空気に含まれる埃や塵を捕捉する。フィルタの背面側には、室内側熱交換器２２およびクロスフローファン（送風機）２１などが配置されている。
【００１９】
また、本体パネル１２の下部には、吸込み口から吸い込んだ空気を送出する吹出口が設けられており、吹出口にフラップ１５が開閉可能に設けられている。フラップ１５には、駆動モータ（図示せず）が連結されている。駆動モータは、電気配線（図示せず）を介して電装基板（図示せず）に通信接続されており、空気調和機の運転中、電装基板に設けられた制御部からの制御信号に従ってフラップ１５の回動角度を調節する。
【００２０】
また、背面パネル１３の右側面部の背面側の下方には、電源コードの最終出口１３ａが形成されている。先端にプラグを有する電源コードの下流側は、最終出口１３ａから室内機１の外へ出る。
【００２１】
＜室内機の内部構成＞
続いて、室内機１の内部のより具体的な構成について、図２から図６を参照しながら説明する。
【００２２】
図２および図３には、室内機１の内部を、室内機の下方側から見た状態を示す。図２に示すように、室内機１の内部には、クロスフローファン２１、室内側熱交換器２２、ドレンパン２３、モータ部３０、および電装ボックス（図示せず）などが備えられている。図２および図３は、電装ボックスが取り外された状態を示している。
【００２３】
図４には、室内機１の内部に備えられたクロスフローファン２１およびモータ部３０を示す。図４には、室内機１からクロスフローファン２１およびモータ部３０が取り外される様子を示す。図５には、室内機１からモータ部３０を取り外した状態を示す。図５では、室内機１のモータ受け部４０側の側面の具体的な構成を示す。図６には、室内機１の内部に備えらえた各種部品を分解した状態で示す。
【００２４】
クロスフローファン２１は、室内側熱交換器２２の下方側に配置され、室内機１の内部を左右方向に延びている。クロスフローファン２１は、モータ部３０内の駆動モータ（モータ）３１に連結されている。そして、クロスフローファン２１は、空気調和機の運転中、駆動モータ３１によって回転駆動され、吸込み口１４から室内の空気を筐体１０に吸い込んで室内側熱交換器２２に供給すると共に、室内側熱交換器２２で熱交換された空気を吹出口から室内に送出する。なお、駆動モータ３１は、電気配線を介して電装ボックス内に配置された電装基板（図示せず）に通信接続されており、電装基板に設けられた制御部から送信される制御信号に従って動作する。
【００２５】
室内側熱交換器２２は、複数の熱交換器を、クロスフローファン２１を覆う屋根（逆Ｖ字）のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。室内側熱交換器２２は、断熱材２６に被覆された補助パイプ（冷媒配管）と接続されている（図６参照）。図示はしていないが、室内側熱交換器２２は、冷媒配管を介して、室外機側の圧縮機、膨張弁などと接続されている。
【００２６】
補助パイプは、柔軟性および断熱性を有する筒状の断熱材２６で覆われている。断熱材２６の内部には、２本の冷媒配管が含まれている。
【００２７】
図３に示すように、クロスフローファン２１は、室内側熱交換器２２の下方において、室内側熱交換器２２に付属するサイドパネル４２などによって支持されている。より具体的には、クロスフローファン２１は、逆Ｖ字状の室内側熱交換器２２によってその上方部分が覆われるように配置されている。そして、クロスフローファン２１は、室内側熱交換器２２の左右両側の端部に隣接して設けられているサイドパネル（側板）４２などによって、回転可能な状態で支持されている。本実施形態では、クロスフローファン２１の左側の端部は、左側のサイドパネル４２によって支持され、クロスフローファン２１の右の端部は、右側のサイドパネル４２、並びに、背面パネル１３およびドレンパン２３の構成部材によって支持されている。サイドパネル４２は、筐体１０（背面パネル１３など）の側面と略平行に設けられている（図６参照）。
【００２８】
サイドパネル４２は、クロスフローファン２１とモータ部３０との間に配置されている。サイドパネル４２は、クロスフローファン２１が位置する送風路内の空気がモータ部３０側へ流れることを抑制するとともに、室内側熱交換器２２において生成されたドレン水が、モータ部３０や電装ボックス側へ流入することを抑えるために設けられている。
【００２９】
ドレンパン２３は、室内側熱交換器２２の下方に配置されており、室内側熱交換器２２において生成されたドレン水を受ける。また、ドレンパン２３は、その下方において、上下風向板２４および左右風向板２５（図５参照）などの風向変更板を動作可能に支持している。すなわち、ドレンパン２３は、風向板取付機構としての機能も果たしている。
【００３０】
モータ部３０は、主として、駆動モータ３１とモータケース３２とで構成されている。駆動モータ３１は、クロスフローファン２１と接続されており、クロスフローファン２１を回転駆動する。モータケース３２は、駆動モータ３１を収容する。モータケース３２は、室内機１の本体部（本実施形態では、筐体１０を構成する背面パネル１３、室内側熱交換器２２に備えられたサイドパネル（側板）４２など）に対して取り外し可能に取り付けられている（図４参照）。モータ部３０のより具体的な構成については、後述する。
【００３１】
電装ボックスは、例えば、筐体１０内の右側端部（すなわち、モータ部３０の右隣）に配置される。なお、図２および図３では、電装ボックスの図示は省略している。電装ボックスは電装基板を備えている。電装基板には、中央処理演算部（制御部）、信号送受信部などが搭載されている。電装基板は、電気配線を介して、冷凍サイクルの各構成部材と接続されている。
【００３２】
図４に示すように、クロスフローファン２１は、室内機１の内部を左右方向に延びる略円筒形状の部品である。室内機１の左右方向に沿って配置されている円筒形状のクロスフローファン２１の軸方向のことを、クロスフローファン２１の長手方向と呼ぶ。クロスフローファン２１の長手方向に隣接して、モータ部３０が配置されている。
【００３３】
本実施形態では、クロスフローファン２１の右隣に、クロスフローファン２１を軸回転させるモータ部３０が配置されている。モータ部３０を構成する駆動モータ３１の軸部３４（図９など参照）が、クロスフローファン２１の回転軸２１ａ（図５など参照）と連結されている。
【００３４】
このように、本実施形態では、クロスフローファン２１の右側端部において、クロスフローファン２１の回転軸と駆動モータ３１とが接続されている。しかし、本発明の他の実施態様では、クロスフローファン２１の左側にモータ部３０が配置されていてもよい。この場合には、モータ部は、本実施形態で説明するモータ部３０とは左右対称の構成を有する。またこの場合、クロスフローファン２１の左側のサイドパネル４２などに、モータ受け部４０が設けられている。
【００３５】
本実施形態の室内機１は、室内側熱交換器２２を取り外すことなく、モータ部３０およびクロスフローファン２１を取り外すことができる。これにより、モータ部３０およびクロスフローファン２１のメンテナンスや、各構成部品の交換を容易に行うことができる。モータ部３０を取り外す際には、先ず、室内機１内の右側端部に配置されている電装ボックスを取り外す。その後、モータ部３０を右方向へスライドさせる（図４の矢印Ａ参照）。これにより、モータ部３０を室内機１から取り外すことができる。図４にはドレンパン２３が取り外された状態が示されているが、モータ部３０は、ドレンパン２３を本体部に取り付けた状態でも、取り外しが可能である。
【００３６】
一方、クロスフローファン２１は、ドレンパン２３を取り外した後に、取り外しが可能となる。クロスフローファン２１を取り外すときには、クロスフローファン２１の右側部分を下方（図４では手前）へ引き出した後（図４の矢印Ｂ参照）、クロスフローファン２１の左側部分を、室内機１の本体部（本実施形態では、左側のサイドパネル４２）から取り外す。これにより、クロスフローファン２１を室内機１から取り外すことができる。なお、吹出口をクロスフローファン２１の直径より大きくすることにより、ドレンパン２３を取り外すことなく、吹出口からクロスフローファン２１を取り出せる構成であってもよい。
【００３７】
以上のように、本実施形態にかかる空気調和機では、室内側熱交換器２２の本体部分を取り外すことなく、モータ部３０およびクロスフローファン２１を取り外すことができる。
【００３８】
なお、作業者がモータ部３０の矢印Ａ方向への移動をより行い易くするために、モータ部３０には、指掛け部３３が設けられている。指掛け部３３は、電装ボックスを取り外した状態で、室内機１の側面側に露出するモータ部３０の側面に設けられている（図３参照）。例えば本実施形態では、指掛け部３３は、モータケース３２の右側端部に配置されている。指掛け部３３には、モータ部３０の取り外し作業時に、作業者の手指が接触する。そして、指掛け部３３は、モータ部３０をスライド移動させる際の把持部となる。
【００３９】
＜モータ部の構成＞
続いて、モータ部３０のより具体的な構成について、図４および図９を参照しながら説明する。図９には、モータ部３０の外観を示す。図９は、駆動モータ３１の軸部３４側からモータ部３０を見た場合の図である。以下の説明において、モータ部３０および各構成部品の各部位の名称は、モータ部３０を室内機１に取り付けた状態での位置を基準にして命名されている。例えば、モータケース３２の左側の側面とは、モータ部３０を室内機１に取り付けた状態で、室内機１を正面から見た場合に左側に位置する側面を意味する。
【００４０】
上述したように、モータ部３０は、主として、駆動モータ３１とモータケース３２とで構成されている。
【００４１】
駆動モータ３１は、略円筒形状の本体部を有している。また、駆動モータ３１は、軸部３４およびコネクタ部３５などを有している。
【００４２】
軸部３４は、本体部の略円形状の一側面から突出するように形成されている。本実施形態では、軸部３４は、駆動モータ３１の本体部の左側の側面から突出している。軸部３４は、クロスフローファン２１の回転軸２１ａと接続される。
【００４３】
コネクタ部３５は、電装ボックスから延びる各種配線と接続される。これにより、コネクタ部３５を介して、駆動モータ３１に電源が供給される。また、コネクタ部３５には、電装ボックス内の電装基板から延びる配線も接続される。これにより、電装基板の制御部からの制御信号が、コネクタ部３５を介して駆動モータ３１に送信される。駆動モータ３１は、制御部から送信された制御信号に基づいて、運転の開始および停止、並びに、回転数などが制御される。本実施形態では、コネクタ部３５は、室内機１の正面側に位置するように配置される。
【００４４】
モータケース３２は、内部に駆動モータ３１を収容している。モータケース３２は、駆動モータ３１の形状に合わせて、略円筒形状の外形を有している。但し、モータケース３２の背面部３６（室内機１に設置したときに背面側に位置する部分）は、平坦な形状となっている。これは、モータケース３２の背面部３６が、室内機１の本体と（より具体的には、背面パネル１３）と接続されるためである。
【００４５】
図９に示すように、モータケース３２は、２つに分割された前ケース３２ａと後ケース３２ｂとで構成されている。モータ部３０が室内機１に取り付けられた状態で、前ケース３２ａは前方側に位置し、後ケース３２ｂは後方側に位置する。後ケース３２ｂは、背面部３６を有している。
【００４６】
また、本実施形態にかかるモータケース３２は、指掛け部３３を有している。本実施形態では、図４に示すように、指掛け部３３は、モータケース３２の右側面（クロスフローファン２１との隣接面とは反対側の側面）から突出した形状を有している。モータ部３０を室内機１から取り外す際に、作業者は、この逆Ｌ字状の指掛け部３３内に指を入れ、外方向（本実施形態では、右方向）へ指掛け部３３を押し出すことで、取り外し作業を容易に行うことができる。
【００４７】
また、モータケース３２には、駆動モータ３１の軸部３４側の側面（本体部側のモータ受け部４０と対向する側面）にテーパ部（モータケース側のシール部）３７が設けられている。テーパ部３７は、略円形状を有しており、駆動モータ３１の軸受けの周囲に設けられている。
【００４８】
テーパ部３７は、クロスフローファン２１側へ向かって先細となるテーパ形状を有している。テーパ部３７は、後述するモータ受け部４０側の逆テーパ部４５（４１ａ・４２ａ・４３ａ）と合致するように形成されている。逆テーパ部４５は、テーパ部３７の形状に対応して、モータ部３０側へ向かって開口部の径が大きくなるような形状となっている。本体部に対してモータ部３０が取り付けられると、テーパ部３７と逆テーパ部４５とが合致し、これらによってシール部が形成される。シール部が形成されることで、クロスフローファン２１の回転によって生成された気流が、モータ部３０とモータ受け部４０との接続部分から側方部分へ漏れることを抑えることができる。
【００４９】
本実施形態では、テーパ部３７は、前ケース３２ａおよび後ケース３２ｂにそれぞれ設けられている。前ケース３２ａ側のテーパ部を３７ａとし、後ケース３２ｂ側のテーパ部を３７ｂとする。
【００５０】
図９に示すように、テーパ部３７（本実施形態では、テーパ部３７ａ）には、切り欠き３８が形成されている。また、後述するように、モータ受け部４０側の逆テーパ部４５には、切り欠き３８に対応する位置に突起５１が形成されている（図５参照）。モータ部３０が本体部に適切に取り付けられた状態では、突起５１は切り欠き３８に嵌まり込む。つまり、切り欠き３８および突起５１が設けられていることにより、モータ部３０を本体部に取り付けたときに位置ずれが起こることを抑えることができる。
【００５１】
＜モータ受け部の構成＞
続いて、モータ部３０が取り付けられる本体部側の構成について、図５、図７、図８、および図１０から図１２などを参照しながら以下に説明する。図７は、モータ受け部４０を構成する各部材（背面パネル１３、室内側熱交換器２２、およびドレンパン２３）を分解した状態の図である。図８には、モータ受け部４０側の側面を示す。図１０は、図８に示す室内機１のＡ−Ａ線部分の断面構成を示す。図１１は、図８に示す室内機１のＢ−Ｂ線部分の断面構成を示す。図１２は、図８に示す室内機１のＣ−Ｃ線部分の断面構成を示す。
【００５２】
モータ部３０は、本体部のモータ受け部４０に取り付けられる。モータ受け部４０は、クロスフローファン２１と、モータケース３２との間に位置する。本実施形態では、モータ受け部４０は、背面パネル１３の一部（具体的には、縦板部４１）と、室内側熱交換器２２に備えらえたサイドパネル４２と、ドレンパン２３の一部（具体的には、側方板部４３）とを組み合わせて構成されている。
【００５３】
図７に示すように、クロスフローファン２１は、背面パネル１３、室内側熱交換器２２、およびドレンパン２３によって、その周囲が覆われている。そして、モータ受け部４０を構成する各部材（縦板部４１、サイドパネル４２、および側方板部４３）は、クロスフローファン２１の右側側面に対向するように配置されている。
【００５４】
モータ受け部４０には、略円形状の開口部が形成されている。開口部の中央にはクロスフローファン２１の回転軸２１ａが位置している。この略円形状の開口部は、背面パネル１３の縦板部４１、室内側熱交換器２２のサイドパネル４２、およびドレンパン２３の側方板部４３で形成される。
【００５５】
そして、この略円形状の開口部の外周には、逆テーパ部（モータ受け部側のシール部）４５が形成されている。逆テーパ部４５は、縦板部４１の湾曲端部４１ａと、サイドパネル４２の湾曲端部４２ａと、側方板部４３の湾曲端部４３ａとで構成される。逆テーパ部４５は、モータ部３０側のテーパ部３７と合致するように形成されている。モータ部３０がモータ受け部４０に取り付けられると、テーパ部３７と逆テーパ部４５とが接触した状態となる（図１１参照）。そして、テーパ部３７と逆テーパ部４５との接触面が略密閉された状態となり、シール部が形成される。
【００５６】
これにより、クロスフローファン２１の回転で形成される気流が、側方のモータ部３０側へ漏れることを抑えることができる。したがって、室内機１の吹き出し口から送出される風量の損失を抑えることができる。
【００５７】
また、モータ受け部４０において、サイドパネル４２とドレンパン２３との境界（連結部分）には、サイドパネル４２の一端部（フック５２）とドレンパン２３の側方板部４３の一端部（重複端部５３）とで形成される重なり部が設けられている。
【００５８】
図１０には、この重なり部の断面構成を示す。ドレンパン２３は、サイドパネル４２よりも強度の高い素材で形成されている。そのため、ドレンパン２３は、サイドパネル４２よりも変形しにくい。そこで、本実施形態では、重なり部において、より強度の高いドレンパン２３をクロスフローファン２１側に配置し、より強度の低いサイドパネル４２をモータ部３０側に配置させている。
【００５９】
室内機１を部屋の壁に取り付ける際に、作業者が断熱材２６に覆われた補助パイプを動かすことによって、比較的強度の弱いサイドパネル４２が上下方向に動き、サイドパネル４２に変形や歪みが生じる可能性がある。このとき、上記のように、サイドパネル４２とドレンパン２３との境界の重なり部において、サイドパネル４２のフック５２の内側（クロスフローファン２１側）に剛性の高いドレンパン２３の重複端部５３が配置されていることによって、サイドパネル４２の変形をある程度抑えることができる。
【００６０】
なお、重なり部を構成しているサイドパネル４２のフック５２およびドレンパン２３の重複端部５３は、室内機１の前後方向にある程度の長さを有していることが好ましい。この点については、図１２を用いて説明する。
【００６１】
図１２では、図中、左側に室内機１の前方側が位置し、右側に室内機１の後方側が位置する。室内機１の前方側に、サイドパネル４２のフック５２とドレンパン２３の重複端部５３とで形成されている重なり部が位置する。図１２に示すように、重なり部は、シール部を形成する逆テーパ部４５から前方側へ所定値（例えば、逆テーパ部４５からクロスフローファン２１の外周までの長さ）以上の長さを有していることが好ましい。これにより、サイドパネル４２とドレンパン２３とを組み立てる際に、これら各部材同士の位置合わせをより容易に行うことができる。また、サイドパネル４２とドレンパン２３とを組み合わせて形成されるクロスフローファン２１の密閉性をより高めることができる。
【００６２】
なお、図１２に示す例では、重なり部を構成するサイドパネル４２のフック５２は、前後方向に長さＬを有している。そして、フック５２の前方側の端部は、ドレンパン２３において左右方向に延びる部材２３ａと交差する位置まで延びていることが好ましい。これにより、サイドパネル４２とドレンパン２３とを組み立てる際に、重なり部において位置ずれが発生し、誤ってサイドパネル４２がクロスフローファン２１側に入り込んでしまった場合には、ドレンパン２３の部材２３ａが障害となって組み立てが実現できない構成となる。したがって、モータ受け部４０の組み立て時に、作業者が位置ずれの発生に容易に気付くことができる。
【００６３】
また、モータ受け部４０において、サイドパネル４２と背面パネル１３との境界（連結部分）には、サイドパネル４２の一端部（フック５４）と背面パネル１３の側方板部４３の一端部（重複端部５５）とで形成される重なり部が設けられている。
【００６４】
背面パネル１３は、サイドパネル４２よりも強度の高い素材で形成されている。そのため、背面パネル１３は、サイドパネル４２よりも変形しにくい。そこで、本実施形態では、上記と同様の理由で、重なり部において、より強度の高い背面パネル１３をクロスフローファン２１側に配置し、より強度の低いサイドパネル４２をモータ部３０側に配置させている。
【００６５】
また、図５などに示すように、モータ受け部４０に形成された逆テーパ部４５には、突起５１が形成されている。本実施形態では、突起５１は、サイドパネル４２の湾曲端部４２ａの下端（より具体的には、サイドパネル４２との連結部側の端部）に形成されている。また、突起５１は、モータケース３２のテーパ部３７の切り欠き３８と対応する位置に形成されている。これにより、モータ部３０を本体部に取り付ける際の位置合わせを行い易くなる。
【００６６】
なお、サイドパネル４２に設けられた突起５１は、ドレンパン２３側の端部、例えば、ドレンパン２３とサイドパネル４２とで形成される重なり部の近傍に位置することが好ましい。これは、背面パネル１３とサイドパネル４２とドレンパン２３とを組み合わせてモータ受け部４０を形成するときに、サイドパネル４２におけるドレンパン２３との重なり部分に、最も変形または歪みによる位置ずれが発生しやすいためである。本実施形態では、突起５１は、フック５２および重複端部５３で形成される重なり部の最も近くに位置するシール部に設けられている。
【００６７】
この構成によれば、モータ受け部４０に対してモータ部３０を取り付けるときに、最も位置ずれの起こりやすい位置において突起５１と切り欠き３８との位置合わせが行われる。これにより、モータ部３０取付け時の位置ずれの発生を抑えることができる。また、サイドパネル４２に多少の変形などが生じた場合であっても、モータ部３０の取付け作業が難航することを抑えることができる。
【００６８】
＜第１の実施形態のまとめ＞
以上のように、本実施形態にかかる空気調和機の室内機１には、筐体１０内を左右方向に延びるクロスフローファン（送風機）２１と、クロスフローファン２１を駆動する駆動モータ３１とが備えらえている。駆動モータ３１は、モータケース３２に収容され、モータ部３０を構成している。モータ部３０は、クロスフローファン２１の側方に、取り外し可能に取り付けられている。
【００６９】
モータ部３０は、モータ受け部４０に対して取り付けられる。モータ受け部４０は、クロスフローファン２１とモータ部３０との間に位置する板状の部材で構成されている。具体的には、モータ受け部４０は、サイドパネル４２と、背面パネル１３の縦板部４１と、ドレンパン２３の側方板部４３とを組み合わせて形成されている。モータ受け部４０は、クロスフローファン２１の軸受け部（回転軸２１ａの周囲）に略円形の開口部を有している。
【００７０】
一方、モータ部３０のモータケース３２には、軸部３４の周囲にテーパ部３７を有している。モータ部３０が、室内機１の本体に正しく取り付けられると、テーパ部３７は、モータ受け部４０側の上述の開口部に嵌まり込む。この開口部には、テーパ部３７に形成されたテーパ形状に対応する逆テーパ形状を有する逆テーパ部４５が設けられている。
【００７１】
そして、モータ部３０が、モータ受け部４０に正しく取り付けられると、テーパ部３７と逆テーパ部４５とでシール部が形成される。これにより、クロスフローファン２１によって生成された気流が、モータ部３０とモータ受け部４０との接続部分からモータ部３０側へ漏れることを抑えることができる。したがって、風量の損失を低減させることができる。
【００７２】
なお、モータ部３０側に形成されたテーパ部３７は、モータ受け部４０側へ向かって（その取付け方向に向かって）先細の形状となっている。そして、モータ受け部４０側の逆テーパ部４５は、テーパ部３７の形状に対応して、モータ部３０側へ向かって開口部の径が大きくなるような形状となっている（図１１参照）。
【００７３】
この構成によれば、モータ部３０のテーパ部３７を、モータ受け部４０の逆テーパ部４５へより容易に嵌め込むことができる。したがって、モータ部３０を取り外した後に、再度モータ部３０を本体部へ取り付けるときの取り付け作業がより行い易くなる。
【００７４】
なお、メンテナンス作業の効率化のためには、ドレンパン２３および室内側熱交換器２２などの大型の構成部材はできるだけ本体に取り付けられたままの状態で、モータ部３０の着脱作業が行われることが望ましい。その場合、ドレンパン２３などによって作業者の視野が制限され、モータ受け部４０の周囲が見えない状態で、モータ部３０の取付け作業が行われることになる。
【００７５】
このとき、本実施形態の室内機１のように、モータ部３０にテーパ部３７が形成され、モータ受け部４０に逆テーパ部４５が形成されていることで、モータ受け部４０の周囲が作業者に見えない状態であっても、モータ部３０を正しい取り付け位置に導くことができる。
【００７６】
したがって、本実施形態の構成によれば、モータ部３０の取り外し動作の作業性の向上を図ることができる。
【００７７】
また、室内機１に対してモータ部３０を取り付ける時に、本体側のモータ受け部４０との間で、位置ずれなどの取付け不良が起こると、空気調和機の運転時に異音やエア漏れなどが発生する可能性がある。
【００７８】
上述した本実施形態の構成によれば、テーパ部３７が逆テーパ部４５に正しく嵌め込まれていない場合には、モータ部３０に傾きやぐらつきなどの違和感を覚えることにより、モータ部３０の取付け不良をより容易に感知することができる。そのため、モータ部の取付け不良の抑制を図ることができる。
【００７９】
〔第２の実施形態〕
本発明の第２の実施形態について説明する。上述の第１の実施形態では、背面パネル１３の縦板部４１、室内側熱交換器２２のサイドパネル４２、およびドレンパン２３の側方板部４３という３つの構成部材でモータ受け部４０が形成される構成について説明した。しかし、本発明はこれに限定されない。そこで、第２の実施形態では、２つの構成部材でモータ受け部４０が形成される例について説明する。
【００８０】
第２の実施形態にかかる室内機１では、モータ受け部４０が、室内側熱交換器２２のサイドパネル４２と背面パネル１３の側方板部４３とで形成されている。そして、モータ受け部４０側のシール部（逆テーパ部）４５は、サイドパネル４２に設けられた湾曲端部４２ａと、ドレンパン２３の側方板部４３に設けられたおよび湾曲端部４１ａおよび湾曲端部４３ａとで形成される。このように、湾曲端部４３ａが、ドレンパン２３ではなく、背面パネル１３で形成されていてもよい。
【００８１】
この構成では、ドレンパン２３の側方板部４３に２つの重複端部５３および５５が設けられていることが好ましい。一方の重複端部５３は、サイドパネル４２の前方側に位置するフック５２と重なるように配置される。他方の重複端部５５は、サイドパネル４２の後方側に位置するフック５４と重なるように配置される。
【００８２】
モータ部３０は、第１の実施形態と同様の構成を有している。すなわち、モータ部３０を構成するモータケース３２には、本体部側のモータ受け部４０と対向する側面にテーパ部（モータケース側のシール部）３７が設けられている。
【００８３】
また、モータ受け部４０側のシール部（逆テーパ部４５）は、テーパ部３７と合致するような逆テーパ形状となっている。そのため、本体部に対してモータ部３０が取り付けられると、テーパ部３７と逆テーパ部４５とが合致し、これらによってシール部が形成される。
【００８４】
以上の構成によれば、室内側熱交換器２２のサイドパネル４２と背面パネル１３の側方板部４３という２つの構成部材によって、モータ受け部４０を形成することができる。また、モータ受け部４０とモータ部３０との間にシール部が形成されることで、クロスフローファン２１の回転によって生成された気流が、モータ部３０とモータ受け部４０との接続部分から側方部分へ漏れることを抑えることができる。
【００８５】
〔第３の実施形態〕
続いて、本発明の第３の実施形態について説明する。第３の実施形態では、第２の実施形態と同様に、２つの構成部材でモータ受け部４０が形成される例について説明する。
【００８６】
第３の実施形態にかかる室内機では、モータ受け部４０が、サイドパネル４２とドレンパン２３とで形成されている。そして、モータ受け部４０側のシール部（逆テーパ部４５）は、サイドパネル４２に設けられた湾曲端部４１ａおよび湾曲端部４２ａと、ドレンパン２３に設けられた湾曲端部４３ａとで形成される。このように、湾曲端部４１ａが、背面パネル１３ではなく、サイドパネル４２で形成されていてもよい。
【００８７】
〔第４の実施形態〕
続いて、本発明の第４の実施形態について説明する。上述の第１の実施形態では、モータケース３２側のテーパ部３７に切り欠き３８が形成され、モータ受け部４０側の逆テーパ部４５に突起５１が形成される構成について説明した。しかし、本発明はこれに限定されない。
【００８８】
そこで、第４の実施形態として、モータケース３２側のテーパ部３７に突起が形成され、モータ受け部４０側の逆テーパ部４５に切り欠きが形成される構成を挙げることができる。
【００８９】
（まとめ）
本発明の一局面にかかる空気調和機（例えば、室内機１）は、筐体１０と、前記筐体１０内において左右方向に延びるクロスフローファン（送風機）２１と、前記クロスフローファン２１を駆動するモータ３１と、前記モータ３１を収容し、前記筐体１０に対して取り外し可能に取り付けられているモータケース３２と、前記クロスフローファン２１と前記モータケース３２との間に位置し、前記モータケース３２が取り付けられるモータ受け部４０とを備えている。前記モータケース３２は、その取り付け位置において前記モータ受け部４０との間でシール部を形成している。前記モータケース３２側の前記シール部（テーパ部３７）は、前記クロスフローファン２１側へ向かって先細となるテーパ形状を有しており、前記モータ受け部４０側の前記シール部（逆テーパ部４５）は、前記テーパ形状に対応する逆テーパ形状を有している。
【００９０】
上述の本発明の一局面にかかる空気調和機（例えば、室内機１）は、前記クロスフローファン２１の左右方向の端部に隣接して配置されているサイドパネル（側板）４２と、前記クロスフローファン２１の下方に配置されるドレンパン２３とをさらに備えていてもよい。そして、前記モータ受け部４０側の前記シール部（逆テーパ部４５）は、前記サイドパネル４２と、前記筐体１０（具体的には、背面パネル１３）および前記ドレンパン２３の少なくとも何れか一方とで構成されていてもよい。
【００９１】
また、上記構成の前記モータ受け部４０において、前記サイドパネル４２と、前記筐体１０（具体的には、背面パネル１３）および前記ドレンパン２３の少なくとも何れか一方との境界には、前記サイドパネル４２と、前記筐体１０（具体的には、背面パネル１３）または前記ドレンパン２３とで形成される重なり部が設けられていることが好ましい。重なり部は、例えば、サイドパネル４２のフック５２とドレンパン２３の縦板部４１の重複端部５３とで形成される。または、サイドパネル４２のフック５４と背面パネル１３の側方板部４３の重複端部５５とで形成される。
【００９２】
また、上記構成の前記モータ受け部４０において、前記モータケース３２側の前記シール部（テーパ部３７）および前記サイドパネル４２側の前記シール部（逆テーパ部４５）のうちの何れか一方に突起５１が設けられており、他方に前記突起５１が嵌まり込む切り欠き３８が設けられていてもよい。
【００９３】
また、上記構成の前記モータ受け部４０において、前記サイドパネル４２と前記ドレンパン２３とで形成される前記重なり部は、前記シール部から前方へ向かって、所定値以上の長さを有していてもよい。
【００９４】
また、前記モータケース３２側の前記シール部（テーパ部３７）および前記サイドパネル４２側の前記シール部（逆テーパ部４５）のうちの何れか一方に突起５１が設けられており、他方に前記突起５１が嵌まり込む切り欠き３８が設けられている構成において、前記サイドパネル４２に設けられた前記突起または前記切り欠きは、前記重なり部の近傍に位置していてもよい。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００９６】
１        ：（空気調和機の）室内機
１０      ：筐体
１３      ：背面パネル（筐体）
２１      ：クロスフローファン（送風機）
２２      ：室内側熱交換器
２３      ：ドレンパン
３０      ：モータ部
３１      ：駆動モータ（モータ）
３２      ：モータケース
３４      ：軸部
３７      ：テーパ部
３８      ：切り欠き
４０      ：モータ受け部
４１      ：（背面パネルの）縦板部
４２      ：サイドパネル（側板）
４３      ：（ドレンパンの）側方板部
４５      ：逆テーパ部
５１      ：突起
５２      ：フック（重なり部）
５３      ：重複端部（重なり部）
５４      ：フック（重なり部）
５５      ：重複端部（重なり部）
【図１】
2019082406.tif 000003
【図２】
2019082406.tif 000004
【図３】
2019082406.tif 000005
【図４】
2019082406.tif 000006
【図５】
2019082406.tif 000007
【図６】
2019082406.tif 000008
【図７】
2019082406.tif 000009
【図８】
2019082406.tif 000010
【図９】
2019082406.tif 000011
【図１０】
2019082406.tif 000012
【図１１】
2019082406.tif 000013
【図１２】
2019082406.tif 000014
【国際調査報告】
2019082406.tif 000015
2019082406.tif 000016
2019082406.tif 000017
2019082406.tif 000018